(57)【要約】【課題】発電所や変電所などの電力関連施設における電力機器据付等の設備工事の品質管理を、設備工事の立会い経験が少ない担当者であっても適切に行えるようにする。【解決手段】支援サーバー１０は、設備工事の種別毎に、品質管理における確認内容を含んだ確認内容データが格納された支援情報データベース２２を備え、設備工事に立ち会う担当者が携帯する携帯端末３０から、設備工事の種別番号を受信し（Ｓ１０４）、支援情報データベース２２から、受信した種別番号に該当する支援データを読み出す（Ｓ１０６）。そして、携帯端末３０から項目番号を受信すると（Ｓ１１４）、その項目番号に該当する項目の支援データを表示する確認支援画面を携帯端末３０へ送信する（Ｓ１１６）。【選択図】    図４
2005228214.tif 000002
【特許請求の範囲】
【請求項１】
電力関連施設における設備工事の品質管理業務を支援するための装置であって、
設備工事の種別毎に、工事の品質管理を行うために工事立会い時に確認すべき内容を含む支援データが格納された支援情報データベースと、
設備工事に立会う担当者が携帯する携帯端末から、設備工事の種別を特定するための工事種別特定情報を受信する受信手段と、
前記データベースから、前記受信した工事種別特定情報に該当する支援データを読み出す読出し手段と、
前記読み出した支援データを前記携帯端末へ送信する送信手段と、を備えることを特徴とする電力関連設備工事の品質管理業務支援装置。
【請求項２】
各支援データは複数の項目に区分されており、
前記携帯端末から、前記複数の項目のうち何れかの項目を指定する項目指定情報を受信する手段を備え、
前記送信手段は、前記読み出した支援データのうち、前記受信した項目指定情報で指定された項目のデータを送信することを特徴とする請求項１記載の電力関連設備工事の品質管理業務支援装置。
【請求項３】
各電力機器について過去に発生した不具合事例のデータが格納された不具合事例データベースから、指定された機器についての不具合事例のデータを取得する手段と、
前記携帯端末から、設備工事の対象となる電力機器を特定するための機器特定情報を受信する手段と、
前記受信した機器特定情報で特定される機器について不具合事例のデータを取得し、その不具合事例のデータを前記携帯端末へ送信する手段と、を更に備えることを特徴とする請求項２記載の電力関連設備工事の品質管理支援装置。
【請求項４】
前記不具合事例のデータには、当該不具合事例の解決に関与した関係者の連絡先情報が含まれていることを特徴とする請求項３記載の電力関連設備工事の品質管理支援装置。
【請求項５】
電力関連施設における設備工事の品質管理業務を支援するためのシステムであって、
電力機器据付工事に立ち会う担当者が携帯する携帯端末と、この携帯端末と通信可能なサーバーとにより構成され、
前記サーバーは、
設備工事の種別毎に、工事の品質管理を行うために工事立会い時に確認すべき内容を含む支援データが格納された支援情報データベースと、
設備工事に立ち会う担当者が携帯する携帯端末から、設備工事の種別を特定するための種別特定情報を受信する手段と、
前記データベースから、前記受信した種別特定情報に該当する支援データを読み出す手段と、
前記読み出した支援データを前記携帯端末へ送信する手段と、を備えることを特徴とする電力関連設備工事の品質管理業務支援システム。
【請求項６】
電力関連施設における設備工事の品質管理業務を支援するための方法であって、コンピュータが、
設備工事に立ち会う担当者が携帯する携帯端末から、設備工事の種別を特定するための種別特定情報を受信するステップと、
設備工事の種別毎に、工事の品質管理を行うために工事立会い時に確認すべき内容を含む支援データが格納された支援情報データベースから、前記受信した種別特定情報についての支援データを読み出すステップと、
前記読み出した支援データを前記携帯端末へ送信するステップと、を実行することを特徴とする電力機器据付工事の品質管理業務支援方法。
【発明の詳細な説明】
【技術分野】
【０００１】
発電所や変電所などの電力関連設備における電力機器の据付等の設備工事が所定の基準に適合しているかどうかを確認する品質管理業務を支援するための装置、システム、及び、方法に関する。
【背景技術】
【０００２】
電力会社の発電所や変電所などの電力関連施設の設備工事において、機器を据え付ける際には、その据付工事が法規や社内基準等の基準に適合しているかどうかの品質管理を行うことが必要である。この品質管理では、据付機器の荷受から組立、設置、設置後の試験に至るまで、様々な項目のチェックを行なわねばならず、品質管理の担当者には豊富な知識や経験が要求される。
【発明の開示】
【発明が解決しようとする課題】
【０００３】
しかしながら、近年、設備工事量の減少に伴って設備工事の経験者の数も少なくなる傾向にあり、経験の少ない担当者が工事に立ち会った場合に、何をチェックすればよいのか十分に把握できず、機器据付工事の品質管理を適切に行うことが難しい場合がある。  
本発明は上記の点に鑑みてなされたものであり、発電所や変電所などの電力関連施設における電力機器据付等の設備工事の品質管理業務を、設備工事の立会い経験が少ない担当者であっても適切に行えるようにすることを目的とする。
【課題を解決するための手段】
【０００４】
上記の目的を達成するため、本発明は、電力関連施設における設備工事の品質管理業務を支援するための装置であって、
設備工事の種別毎に、工事の品質管理を行うために工事立会い時に確認すべき内容を含む支援データが格納された支援情報データベースと、
設備工事に立会う担当者が携帯する携帯端末から、設備工事の種別を特定するための工事種別特定情報を受信する受信手段と、
前記データベースから、前記受信した工事種別特定情報に該当する支援データを読み出す読出し手段と、
前記読み出した支援データを前記携帯端末へ送信する送信手段と、を備えることを特徴とする。
【０００５】
また、本発明において、各支援データは複数の項目に区分されており、
前記携帯端末から、前記複数の項目のうち何れかの項目を指定する項目指定情報を受信する手段を備え、
前記送信手段は、前記読み出した支援データのうち、前記受信した項目指定情報で指定された項目のデータを送信することとしてもよい。
【０００６】
また、本発明の装置は、各電力機器について過去に発生した不具合事例のデータが格納された不具合事例データベースから、指定された機器についての不具合事例のデータを取得する手段と、
前記携帯端末から、設備工事の対象となる電力機器を特定するための機器特定情報を受信する手段と、
前記受信した機器特定情報で特定される機器について不具合事例のデータを取得し、その不具合事例のデータを前記携帯端末へ送信する手段と、を更に備えることとしてもよい。
【０００７】
この場合、前記不具合事例のデータには、当該不具合事例の解決に関与した関係者の連絡先情報が含まれていることとしてもよい。
【発明の効果】
【０００８】
本発明によれば、発電所や変電所などの電力関連施設における電力機器据付等の設備工事の品質管理を、設備工事の立会い経験が少ない担当者であっても適切に行えるように当該担当者を支援することができる。
【発明を実施するための最良の形態】
【０００９】
図１は、本発明の一実施形態である支援システム１０の全体構成図である。同図に示すように、本実施形態の支援システム１０は、支援サーバー２０と、携帯端末３０とを含んで構成されている。
【００１０】
支援サーバー２０は、例えば電力会社の所定部門（例えば品質管理部門）のセンターに設置されたサーバーコンピュータであり、ＬＡＮ４０に接続されている。この支援サーバー２０には、支援情報データベース２２、品質管理データベース２４、及び、利用者データベース２６が設けられている。
【００１１】
支援情報データベース２２には、発電所や変電所などの電力関連施設で実施される設備工事の種別毎に、工事種別番号に関係付けて、工事の際の確認項目、確認内容、確認方法、判定基準、基準を満たさない場合の対応策についてのアドバイス情報等を含む支援データが登録されている。図２に、支援情報データベース２２に登録された支援データの一例を示す。なお、判定基準は、ＯＫかＮＧかといった２値的な判定基準に限らず、例えば抵抗値や温度のような測定値に応じてＡ，Ｂ，Ｃのレベルを判定するなど、多段階の判定基準の場合もある。
【００１２】
品質管理データベース２４には、後述するように、設備工事に立ち会った品質管理担当者によって携帯端末３０に入力された確認結果を示すデータが蓄積される。また、利用者データベース２６には、支援システム１０の各利用者（すなわち、設備工事の品質管理担当者）について、ＩＤ、パスワード等のデータが登録されている。
【００１３】
携帯端末３０は、携帯電話機やＰＤＡ等の無線通信端末であり、支援サーバー２０との間で無線でのデータ通信を行う機能を有する。後述するように、各品質管理担当者は機器据付工事に立ち会う際に携帯端末３０を携帯して、支援サーバー２０から品質管理業務を遂行するうえでの支援を受けることができる。なお、携帯端末３０にデジタルカメラ機能を設けておき、設備工事の状況を撮影できるようにしてもよい。
【００１４】
ＬＡＮ４０には、また、不具合管理サーバー５０が接続されている。不具合管理サーバー５０には、不具合事例データベース５２が設けられている。不具合管理サーバー５０は、ＬＡＮ４０に接続されたコンピュータ端末４２や上記携帯端末３０等から各種機器についての不具合事例の入力を受け付け、それら不具合事例のデータを不具合事例データベース５２に蓄積管理する。また、後述するように、不具合管理サーバー５０は、支援サーバー２０からの問い合わせに応じて、該当する機器について不具合事例の有無を回答し、不具合事例がある場合にはそのデータを支援サーバー２０へ送信する。
【００１５】
図３に、不具合事例データベースに記録されたデータの一例を示す。同図に示すように、不具合事例データベース５２には、機器名、メーカー名、型番、及び不具合事例のデータが記録される。なお、不具合事例データには、不具合発生状況を撮影した写真データを含めてもよい。また、各不具合事例データには、その不具合事例の解決に関与した関係者の氏名、所属部門、連絡先（メールアドレスや電話番号）も含まれている。
【００１６】
次に、図４を参照して、本実施形態において、発電所あるいは変電所等の電力関連施設における設備工事（電力機器の据付工事）に立ち会った担当者に対して、品質管理業務の支援を行う場合の処理の流れについて説明する。先ず、担当者は携帯端末３０から支援サーバー２０へアクセスし、ＩＤ及びパスワードによる本人認証を受けてログインする（Ｓ１００）。支援サーバー２０は、ログインしてきた携帯端末３０へ、工事種別を選択するための工事種別選択画面を送信する（Ｓ１０２）。
【００１７】
図５に工事種別選択画面の一例を示す。同図に示すように、工事種別選択画面には、区工事種別番号と工事種別名が一覧表示され、この中から対象となる工事種別を選択できる。また、工事種別選択画面には、工事の対象機器のメーカー及び型番の入力欄も含まれている。後述するように、この入力欄にメーカー・型番が入力された場合は、該当する機器について過去の不具合事例が携帯端末３０に送信されるようになっている。なお、対象機器のメーカー・型番は、工事種別選択画面とは別の画面で入力するようにしてもよい。
【００１８】
上記の工事種別選択画面にて何れかの工事種別が選択されて「送信」ボタンがクリックされると、携帯端末３０から支援サーバー２０へ、選択された工事種別の番号、及び、機器メーカー・型番が入力されている場合はそれらのデータが送信される（Ｓ１０４）。支援サーバー２０は、送信されてきた工事種別番号に該当する支援データを支援情報データベース２２から読み出す（Ｓ１０６）。そして、読み出した支援データに基づいて、確認項目を選択するための項目選択画面を作成して携帯端末３０へ送信する（Ｓ１０８）。
【００１９】
図６は、一例として、「直流電源装置据付工事」についての項目選択画面を示す。同図に示すように、項目選択画面には、「事前確認」、「荷受」、「チャンネルベース据付」等の項目が一覧表示され、何れかの項目を選択できるようになっている。
【００２０】
また、支援サーバー２０は、メーカー・型番が送信されてきた場合は、それらに該当する機器について不具合事例が登録されているかどうかを、不具合管理サーバー５０へ問い合わせ（Ｓ１１０）、登録されていれば、その不具合事例データを不具合管理サーバー５０から受信する（Ｓ１１２）。
【００２１】
上記の項目選択画面にて何れかの項目が選択されると、携帯端末３０から支援サーバー２０へ、選択された項目の項目番号が送信される（Ｓ１１４）。これに応じて、支援サーバー２０は確認支援画面を作成して携帯端末３０へ送信する（Ｓ１１６）。図７に例示するように、確認支援画面には、上記Ｓ１０６で読み出した支援データのうち、選択された項目についての確認内容、確認方法、判定基準、及びアドバイスのデータが表示されると共に、各確認内容についての確認結果を入力する入力欄が含まれている。また、上記Ｓ１１２で該当機器についての不具合事例が受信されている場合には、確認支援画面に不具合事例のデータが存在する旨の表示も含められる。なお、図７の例は、図６の項目選択画面で項目「荷受」が選択された場合のものであり、機器「直流電源装置」について不具合事例データが存在しているため、その旨を示す「不具合事例」ボタンが表示されている。
【００２２】
確認支援画面において、「不具合事例」ボタンがクリックされると（Ｓ１１８）、支援サーバー２０は、上記Ｓ１１２で受信した不具合事例データを表示する不具合事例画面を作成して携帯端末３０へ送信する（Ｓ１２０）。
【００２３】
図８は、不具合事例画面の一例を示す。同図に示す如く、不具合事例画面には、不具合事例の内容と、当該不具合事例の解決に関与した関係者の連絡先が表示される。この画面で、関係者の連絡先をクリックすると、直接、その連絡先宛にメールを送信し、又は、電話を掛けることができる。
【００２４】
また、確認支援画面で「送信」ボタンがクリックされると、入力された確認結果が携帯端末３０から支援サーバー２０へ送信される（Ｓ１２２）。なお、携帯端末３０がデジタルカメラ機能を有する場合、撮影された写真データも確認結果の一部として支援サーバー２０へ送信される。支援サーバー２０は携帯端末３０から送信されてきた確認結果を、日付や担当者のＩＤ等の情報と共に品質管理データベース２４に格納する（Ｓ１２４）。
【００２５】
以上説明したように、本実施形態のシステムによれば、電力関係施設の設備工事に立ち会った品質管理担当者は、携帯端末３０から支援サーバー２０へログインして工事種別を選択し、工事の進行に応じて項目を選択するだけで、各項目について確認すべき内容、確認方法、判定基準、基準に適合しない場合の対応に関するアドバイスを参照することができる。したがって、設備工事について経験が少ない担当者であっても、品質管理のための確認作業を正確に行うことができる。また、設備工事の対象となる機器について過去の不具合事例があれば、その内容を携帯端末３０に表示させることができるので、担当者は、過去の不具合事例を参照することにより、問題解決の参考にすることができる。さらに、不具合事例の表示画面には、当該不具合の関係者の連絡先が表示され、この連絡先をクリックすれば、直接連絡を取ることもできるので、不具合発生時に、より適切に問題を解決することが可能となる。
【００２６】
なお、上記実施形態では、支援サーバー２０は、携帯端末３０から工事種別番号が送られてくると該当する工事種別の支援データを読出し、さらに、携帯端末３０から項目番号が送られてくると、読み出した支援データのうち該当する項目のデータを携帯端末３０へ送信するものとした。しかしながら、本発明はこれに限らず、携帯端末３０から送られてきた工事種別番号に応じて読み出した支援データを全て携帯端末３０へ送信するものとし、携帯端末３０において、入力された項目に該当するデータを表示させるようにしてもよい。
【図面の簡単な説明】
【００２７】
【図１】本発明の一実施形態である品質管理支援システムの全体構成図である。
【図２】支援情報データベースに記録された支援データの一例を示す図である。
【図３】不具合事例データベースに記録されたデータの一例を示す図である。
【図４】発電所あるいは変電所等の電力関連施設における設備工事（電力機器の据付工事）に立ち会った担当者に対して、品質管理業務の支援を行う場合の処理の流れを示す図である。
【図５】工事種別選択画面の一例を示す図である。
【図６】項目選択画面の一例を示す図である。
【図７】確認支援画面の一例を示す図である。
【図８】不具合事例確認画面の一例を示す図である。
【符号の説明】
【００２８】
１０  支援システム
２０  支援サーバー
２２  支援情報データベース
２４  品質管理データベース
２６  利用者データベース
３０  携帯端末
４０  ＬＡＮ
５０  不具合管理サーバー
５２  不具合事例データベース
【図１】
2005228214.tif 000003
【図２】
2005228214.tif 000004
【図３】
2005228214.tif 000005
【図４】
2005228214.tif 000006
【図５】
2005228214.tif 000007
【図６】
2005228214.tif 000008
【図７】
2005228214.tif 000009
【図８】
2005228214.tif 000010